(57)【要約】【課題】天板の入出力部と電装部との位置ずれを抑制できる加熱調理器、及び加熱調理器の製造方法を提供する。【解決手段】コンロは、筐体と、筐体の上部開口を覆う天板３と、電装ユニット１００と、天板３の固定部３Ｂに固定され、天板３との間に形成される空間内に電装ユニット１００を内包するセンサケース４０とを備える。電装ユニット１００は、電装基板１００Ａと、電装基板１００Ａに設けられた電装部とを有する。天板３は、電装部の夫々に対応する入出力部を有する。電装ユニット１００は、天板３とセンサケース４０との間の空間内で、天板３の本体板の下面に貼付して固定される。電装ユニット１００の電装部は、天板３の本体板の下面に電装ユニット１００が貼付して固定された状態で、入出力部の下側に配置される。【選択図】図９
2020193773.tif 000002
【特許請求の範囲】
【請求項１】
筐体と、
前記筐体上に載置され、ガラス製の本体板を少なくとも有する天板と、
前記本体板の下側に配置された電装ユニットと、
前記本体板の下面に設けられた固定部に固定され、前記天板との間に形成される空間内に前記電装ユニットを内包するケースと
を備えた加熱調理器であって、
前記電装ユニットは、電装基板と、前記電装基板に設けられた電装部とを有し、
前記本体板は、前記電装部の夫々に対応する入出力部を有し、
前記電装ユニットは、前記本体板と前記ケースとの間の空間内で、前記本体板の下面に貼付して固定され、
前記電装部は、前記本体板の下面に前記電装ユニットが貼付して固定された状態で、前記入出力部の下側に配置される
ことを特徴とする加熱調理器。
【請求項２】
前記ケースは、前記本体板に貼付して固定された前記電装ユニットを下側から支持する支持部を備えたことを特徴とする請求項１に記載の加熱調理器。
【請求項３】
前記支持部は、弾性部材を少なくとも有することを特徴とする請求項２に記載の加熱調理器。
【請求項４】
前記ケースは、前記電装ユニットを下側から覆う覆部を備え、
前記電装基板は、上面に前記電装部が設けられ、
前記支持部は、
前記覆部から上側に突出し、前記電装基板の下面のうち部品が配置されない部分に接触して下方から支持することを特徴とする請求項２に記載の加熱調理器。
【請求項５】
前記電装部は、発光部を有し、
前記入出力部は、前記発光部から発光された光を透過する透過部であることを特徴とする請求項１から４の何れかに記載の加熱調理器。
【請求項６】
前記電装部は、近接センサを有し、
前記入出力部は、前記本体板のうち前記近接センサによる検出が可能な位置を示す接触部であることを特徴とする請求項１から４の何れかに記載の加熱調理器。
【請求項７】
前記本体板は、前記電装ユニットが貼付して固定される位置を示す位置決め部を備え、
前記電装ユニットが前記位置決め部を基準として前記本体板に貼付されて固定されることにより、前記本体板の前記入出力部の下側に前記電装部が配置されることを特徴とする請求項１から６の何れかに記載の加熱調理器。
【請求項８】
筐体と、前記筐体に載置され、ガラス製の本体板を少なくとも有する天板と、前記本体板の下側に配置された電装ユニットと、前記天板の下面に設けた固定部に固定され、前記天板との間に形成される空間内に前記電装ユニットを内包するケースとを備え、前記電装ユニットは、電装基板と、前記電装基板に実装された電装部とを有し、前記本体板は、前記電装部の夫々に対応する入出力部を有する加熱調理器の製造方法であって、
前記本体板の下面に前記電装ユニットを貼付して固定する第１工程と、
前記第１工程により前記本体板の下面に前記電装ユニットが貼付して固定された後、前記天板の前記固定部に前記ケースを固定し、前記ケースと前記本体板との間の空間内に前記電装ユニットを内包する第２工程と
を備え、
前記第１工程により前記本体板の下面に前記電装基板が貼付して固定された状態で、前記電装部は、前記入出力部の下側に配置されることを特徴とする加熱調理器の製造方法。
【請求項９】
前記本体板は、前記電装ユニットが貼付して固定される位置を示す位置決め部を備え、
前記第１工程では、
前記電装ユニットが前記位置決め部を基準として前記本体板に貼付されて固定されることにより、前記本体板の前記入出力部の下側に前記電装部が配置されることを特徴とする請求項８に記載の加熱調理器の製造方法。
【発明の詳細な説明】
【技術分野】
【０００１】
本発明は加熱調理器、及び加熱調理器の製造方法に関する。
【背景技術】
【０００２】
ガラス製の天板を有し、天板の下面に光センサやＬＥＤ、近接センサ等の電装部が配置された加熱調理器が知られている。このような加熱調理器では、例えば、天板上方に操作者の手や腕が進入したことを光センサにより検出したり、操作者による操作状況をＬＥＤにより表示したりすることが可能である。特許文献１に記載の加熱調理器は、天板、ケース部材、操作基板等を備える。天板は、ガラス板と、ガラス板の縁部に設けられた金属製のフレーム部とを有する。ケース部材は、ガラス板の下面に固定され、操作基板を内部に収容する。操作基板には、発光素子及び受光素子を備えたスイッチ、及び、ＬＥＤからなる表示ランプが電装部として配設される。操作基板は、ガラス板のうち操作部及び表示部に対応する位置に、ケース部材によって保持される。
【先行技術文献】
【特許文献】
【０００３】
【特許文献１】特開２００５−５５０４３号公報
【発明の概要】
【発明が解決しようとする課題】
【０００４】
天板、ケース部材、及び操作基板は、それぞれ、多くの部品から構成されている場合が多い。この場合、それぞれの部品の僅かな寸法誤差、組付誤差等が蓄積することにより、電装部と、電装部に対応する部位として天板に設けられた入出力部とが位置ずれする場合があるという問題点がある。
【０００５】
本発明の目的は、天板の入出力部と電装部との位置ずれを抑制できる加熱調理器、及び加熱調理器の製造方法を提供することである。
【課題を解決するための手段】
【０００６】
請求項１に記載の加熱調理器は、筐体と、前記筐体上に載置され、ガラス製の本体板を少なくとも有する天板と、前記本体板の下側に配置された電装ユニットと、前記本体板の下面に設けられた固定部に固定され、前記天板との間に形成される空間内に前記電装ユニットを内包するケースとを備えた加熱調理器であって、前記電装ユニットは、電装基板と、前記電装基板に設けられた電装部とを有し、前記本体板は、前記電装部の夫々に対応する入出力部を有し、前記電装ユニットは、前記本体板と前記ケースとの間の空間内で、前記本体板の下面に貼付して固定され、前記電装部は、前記本体板の下面に前記電装ユニットが貼付して固定された状態で、前記入出力部の下側に配置されることを特徴とする。
【０００７】
請求項２に記載の加熱調理器の前記ケースは、前記本体板に貼付して固定された前記電装ユニットを下側から支持する支持部を備えるとよい。
【０００８】
請求項３に記載の加熱調理器の前記支持部は、弾性部材を少なくとも有するとよい。
【０００９】
請求項４に記載の加熱調理器の前記ケースは、前記電装ユニットを下側から覆う覆部を備え、前記電装基板は、上面に前記電装部が設けられ、前記支持部は、前記覆部から上側に突出し、前記電装基板の下面のうち部品が配置されない部分に接触して下方から支持するとよい。
【００１０】
請求項５に記載の加熱調理器の前記電装部は、発光部を有し、前記入出力部は、前記発光部から発光された光を透過する透過部であるとよい。
【００１１】
請求項６に記載の加熱調理器の前記電装部は、近接センサを有し、前記入出力部は、前記本体板のうち前記近接センサによる検出が可能な位置を示す接触部であるとよい。
【００１２】
請求項７に記載の加熱調理器の前記本体板は、前記電装ユニットが貼付して固定される位置を示す位置決め部を備え、前記電装ユニットが前記位置決め部を基準として前記本体板に貼付されて固定されることにより、前記本体板の前記入出力部の下側に前記電装部が配置されるとよい。
【００１３】
請求項８に記載の加熱調理器の製造方法は、筐体と、前記筐体に載置され、ガラス製の本体板を少なくとも有する天板と、前記本体板の下側に配置された電装ユニットと、前記天板の下面に設けた固定部に固定され、前記天板との間に形成される空間内に前記電装ユニットを内包するケースとを備え、前記電装ユニットは、電装基板と、前記電装基板に実装された電装部とを有し、前記本体板は、前記電装部の夫々に対応する入出力部を有する加熱調理器の製造方法であって、前記本体板の下面に前記電装ユニットを貼付して固定する第１工程と、前記第１工程により前記本体板の下面に前記電装ユニットが貼付して固定された後、前記天板の前記固定部に前記ケースを固定し、前記ケースと前記本体板との間の空間内に前記電装ユニットを内包する第２工程とを備え、前記第１工程により前記本体板の下面に前記電装基板が貼付して固定された状態で、前記電装部は、前記入出力部の下側に配置されることを特徴とする。
【００１４】
請求項９に記載の加熱調理器の製造方法において、前記本体板は、前記電装ユニットが貼付して固定される位置を示す位置決め部を備え、前記第１工程では、前記電装ユニットが前記位置決め部を基準として前記本体板に貼付されて固定されることにより、前記本体板の前記入出力部の下側に前記電装部が配置されるとよい。
【００１５】
例えば、電装ユニットがケースに固定された場合、ケースの誤差等によって、ガラス製の本体板の入出力部と電装部とがずれる可能性がある。これに対し、請求項１に記載の加熱調理器によれば、電装ユニットは本体板に直接貼付され、固定される。このため、加熱調理器は、本体板に設けられた入出力部に対する電装部の位置ずれを抑制できる。
【００１６】
請求項２に記載の加熱調理器によれば、本体板に対して電装ユニットが剥がれた場合でも、支持部が電装ユニットを下側から支持することによって、電装ユニットの落下を防止できる。
【００１７】
請求項３に記載の加熱調理器によれば、支持部は、弾性部材の弾性により、本体板との間に電装ユニットを安定的に挟持できる。
【００１８】
請求項４に記載の加熱調理器によれば、ケース内で電装ユニットが覆部に向けて落下することを、支持部によって適切に防止できる。又、電装基板の部品に支持部が干渉することを抑制できる。
【００１９】
請求項５に記載の加熱調理器によれば、透過部に対する発光部の位置ずれを防止することにより、発光部の光を、透過部を介して外部に適切に出射させることができる。
【００２０】
請求項６に記載の加熱調理器によれば、接触部に対する近接センサの位置ずれを防止することにより、ユーザが接触部に接触する操作を、近接センサにより確実に検出できる。
【００２１】
請求項７に記載の加熱調理器によれば、本体板の入出力部の下側に電装部が配置されるように、本体板に電装ユニットを正確かつ容易に位置決めして貼付し固定できる。
【００２２】
請求項８に記載の加熱調理器の製造方法によれば、請求項１と同様の効果を奏する加熱調理器を製造できる。
【００２３】
請求項９に記載の加熱調理器の製造方法によれば、請求項７と同様の効果を奏する加熱調理器を製造できる。
【図面の簡単な説明】
【００２４】
【図１】コンロ１の斜視図である。
【図２】コンロ１の平面図である。
【図３】天板３の下面に固定したセンサケース４０に対して、左ダクト部７１と右ダクト部７２を介して、左フロントパネル８０と右フロントパネル９０が接続した状態の斜視図である。
【図４】天板３、電装ユニット１００、及び、センサケース４０の分解斜視図である。
【図５】センサケース４０の上面側の斜視図である。
【図６】センサケース４０の下面側の斜視図である。
【図７】天板３、電装基板１００Ａ、導光板１００Ｂ、１００Ｃ、近接センサ１００Ｄ、１００Ｅ、拡散板１００Ｆ、１００Ｇ、及び、センサケース４０の分解斜視図である。
【図８】コンロ１の製造方法を示すフローチャートである。
【図９】電装ユニット１００が貼付された状態の天板３、及び、センサケース４０の分解斜視図である。
【発明を実施するための形態】
【００２５】
以下、本発明の実施形態を説明する。以下に記載される装置の構造などは、特定的な記載がない限り、それのみに限定する趣旨ではなく、単なる説明例である。図面は、本発明が採用しうる技術的特徴を説明する為に用いられるものである。
【００２６】
＜コンロ１の概要＞
図１〜図３を参照し、コンロ１の構造を説明する。図１に示すコンロ１は、ビルトインコンロである。コンロ１は筐体２と天板３を備える。筐体２の上側に天板３が載置される。天板３は、ガラス製の本体板３Ａ、及び、本体板３Ａの下面に固定された固定部３Ｂ（図３参照）を有する。本体板３Ａの上面左側には左バーナ４、上面右側には右バーナ５、上面後側にはグリル用の排気口７が夫々設けられる。本体板３Ａの下面には、一部透過性を有する非透過性の印刷が施される。筐体２の前面の中央部には、グリル扉８が手前側に引き出し可能に設けられる。グリル扉８は、筐体２内部に設けられるグリル庫の前側のグリル開口（図示略）を開閉する。グリル扉８の前面の上部には、取手８Ａが前方に突出して設けられる。筐体２の前面において、グリル扉８の左側の上下には、化粧板６Ａ、６Ｂが取り付けられ、右側の上下には、化粧板６Ｃ、６Ｄが取り付けられる。
【００２７】
図３に示す左フロントパネル８０及び右フロントパネル９０は、それぞれ、筐体２に固定される。図１に示すように、右フロントパネル９０の前面上部に設けられた電源スイッチ１９は、化粧板６Ｃの前面上部の開口６６から前方に突出する。筐体２の前面から左側の化粧板６Ａ〜６Ｄを取り外すと、図３に示す左フロントパネル８０及び右フロントパネル９０の前面が露出する。左フロントパネル８０及び右フロントパネル９０のそれぞれの前面下部には、空気入口（図示略）が設けられる。左右の空気入口は、外部の空気を内側に取り入れる。
【００２８】
図２に示すように、天板３の本体板３Ａの上面の前側部において、左バーナ４の前側には、左バーナ４を操作する為の左操作部１１が設けられ、右バーナ５の前側には、右バーナ５を操作する為の右操作部１２が設けられる。左操作部１１には、左バーナ４の点火、消火、及び火力の増減等の操作を、指先のタッチで受け付ける複数の受付部と、タイマ時間、使用状態等に応じて点灯又は点滅する表示部等が設けられる。右操作部１２にも、左操作部１１と同様に、右バーナ５の操作に対応する複数の受付部、表示部等が設けられる。左バーナ４と右バーナ５に挟まれる中央部の前側には、グリル用発光表示部１３が設けられる。グリル用発光表示部１３には、グリル使用中に点灯する表示部が設けられる。左操作部１１、右操作部１２、及びグリル用発光表示部１３において、受付部は、ユーザによるタッチ操作の位置を示すために天板３に印刷されたボタン、マーク、又は記号等である。表示部は、天板３の本体板３Ａの非印刷領域であって、透過性を有する。以下、左操作部１１、右操作部１２、及びグリル用発光表示部１３を総称して「入出力部１４」という。
【００２９】
本体板３Ａのうち左操作部１１の左前方の隅に、位置決め部１１Ａが設けられる。本体板３Ａのうち右操作部１２の左前方の隅に、位置決め部１２Ａが設けられる。位置決め部１１Ａ、１２Ａは、本体板３Ａの非印刷領域であって、屈曲した線状に形成される。位置決め部１１Ａは、左右方向に延びる線分と、該線分の左端から後方に延びる線分とを有する。位置決め部１２Ａは、左右方向に延びる線分と、該線分の右端から後方に延びる線分とを有する。位置決め部１１Ａ、１２Ａは、後述の電装ユニット１００（図４参照）を位置決めするために設けられる。
【００３０】
天板３の本体板３Ａの下面の前側部には、上面に設けられた入出力部１４に対応するように、電装ユニット１００（図４参照）が接着剤、又は両面テープ等で貼着される。その電装ユニット１００を下方から内包するように、センサケース４０が固定部３Ｂ（図３参照）を介して固定され、天板３の下面側に支持される。センサケース４０は、天板３との間に形成される空間に電装ユニット１００を内包すると共に、天板３の下面に貼着された電装ユニット１００を下方から支持する。
【００３１】
図２に示すように、左操作部１１の後側には、平面視略円弧状のセンサ用窓部１５が設けられ、右操作部１２の後側には、平面視略円弧状のセンサ用窓部１６が設けられ、グリル用発光表示部１３の後側には、平面視略矩形状のセンサ用窓部１７が設けられる。センサ用窓部１５〜１７は、天板３の本体板３Ａの非印刷領域であって、透過性を有する。センサ用窓部１５の下方に、左から右にセンサ３１〜３４が夫々配置される。センサ用窓部１６の下方には、左から右にセンサ３５〜３８が夫々配置される。センサ用窓部１７の下方には、センサ３９が配置される。センサ３１〜３９は、上方に位置する異物までの距離を測定可能な一般的な測距センサであり、例えば赤外線センサである。センサケース４０は後述のセンサ収容部４５（図７参照）を有し、センサ収容部４５にセンサ３１〜３９を内包する。
【００３２】
＜固定部３Ｂ＞
図４に示すように、天板３の固定部３Ｂは板状であり、天板３の本体板３Ａの下面を覆うように固定される。固定部３Ｂは本体板３Ａを補強する。固定部３Ｂは、ガイド板部８６Ａ、８６Ｂ、板固定部８７Ａ〜８７Ｅ、開口部８８、８９Ａ〜８９Ｃを有する。開口部８８は、固定部３Ｂの前端部に設けられ、左右方向に長い略矩形状に形成される。開口部８８は、本体板３Ａの入出力部１４を囲む環状の周端部８８Ａを有する。開口部８９Ａは、開口部８８の後方左側に設けられる。開口部８９Ｂは、開口部８８の後方右側に設けられる。開口部８９Ａ、８９Ｂは円形を有する。開口部８９Ａに左バーナ４（図１参照）が挿通され、開口部８９Ｂに右バーナ５（図１参照）が挿通される。開口部８９Ｃは、開口部８９Ａ、８９Ｂの更に後方に設けられ、排気口７に連通する。
【００３３】
ガイド板部８６Ａ、８６Ｂは、開口部８８の周端部８８Ａのうち前端の左右両端近傍から、下方に突出する。ガイド板部８６Ａ、８６Ｂは矩形板状を有し、前後方向と直交する。ガイド板部８６Ａ、８６Ｂは、後述のセンサケース４０を位置決めする為に設けられている。板固定部８７Ａ〜８７Ｅは、開口部８８の周端部８８Ａのうち後端に設けられる。板固定部８７Ａ〜８７Ｅは、下方に隆起した形状を有し、それぞれが円形の貫通孔を有する。板固定部８７Ａ〜８７Ｅは、センサケース４０を固定する為に設けられている。
【００３４】
＜センサケース４０＞
図３に示すように、センサケース４０は、左右方向に延びる樹脂製の構造物である。センサケース４０は、本体部４１を備える。本体部４１は、平面視左右方向に延びるケース体である。センサケース４０の左端部には、左フロントパネル８０の空気入口との間に亘って上下方向に延びる略筒状の左ダクト部７１が接続される。左ダクト部７１の内側には、冷却ファン（図示略）が取り付けられる。冷却ファンによって左フロントパネル８０の空気入口に取り込まれた冷却空気は、左ダクト部７１を介してセンサケース４０に供給される。センサケース４０の右端部には、右フロントパネル９０の空気入口との間に亘って上下方向に延びる略筒状の右ダクト部７２が接続される。右ダクト部７２の内側には、冷却ファン（図示略）が取り付けられる。冷却ファンによって右フロントパネル９０の空気入口に取り込まれた冷却空気は、右ダクト部７２を介してセンサケース４０に供給される。供給された冷却空気は、センサケース４０内の電装ユニット１００及びセンサ３０（図４〜図６参照）を冷却する。
【００３５】
図５、図６に示すように、センサケース４０の本体部４１は、基板収容部４４、センサ収容部４５を備える。図５の紙面手前側の面は、センサケース４０の上面に対応する。図６の紙面手前側の面は、センサケース４０の下面に対応する。図５に示すように、基板収容部４４は、本体部４１の前側部分に対応し、覆部５６及び周壁部５７を有する。覆部５６は、平面視左右方向に長い略矩形状に形成され、上下方向と直交する。覆部５６は、天板３の本体板３Ａの下面に対向する。周壁部５７は、覆部５６の周端部から上方に延びる。基板収容部４４は、上方に向けて開口する箱状に形成され、その内側には、天板３の本体板３Ａの下面に貼着された電装ユニット１００（図４参照）が内包される。
【００３６】
覆部５６の上面には、凸部５１Ａ〜５１Ｅが突設される。凸部５１Ａは覆部５６の左右方向略中央部、凸部５１Ｂは覆部５６の左前角部、凸部５１Ｃは覆部５６の右前角部、凸部５１Ｄは覆部５６のうち凸部５１Ａ、５１Ｂの間で且つ後側の位置、凸部５１Ｅは覆部５６のうち凸部５１Ａ、５１Ｃの間で且つ後側の位置から、上方に突出される。凸部５１Ａは平面視前後方向に延びる帯状に形成され、基板収容部４４の内側を左右に分断する。凸部５１Ａ〜５１Ｅの夫々の上面には、図４に示す弾性部材５１Ｓ〜５１Ｗが貼着される。凸部５１Ａ〜５１Ｅの夫々の上面は、弾性部材５１Ｓ〜５１Ｗを介して、天板３の本体板３Ａの下面に貼付された電装ユニット１００に密着する。これにより、電装ユニット１００は、基板収容部４４の内側において、覆部５６から離隔した状態で下側から安定して支持される。以下、凸部５１Ａ〜５１Ｅ及び弾性部材５１Ｓ〜５１Ｗを総称して「支持部５１」という。
【００３７】
基板収容部４４の覆部５６の左端部であって凸部５１Ｂの後側には、左流入口５２が設けられ、右端部であって凸部５１Ｃの後側には、右流入口５３が設けられる。左流入口５２は、上下方向に延びる左筒部４２の上端部と連通する。右流入口５３は、上下方向に延びる右筒部４３の上端部と連通する。基板収容部４４の覆部５６における左右方向略中央の前側部分には、左右方向に並ぶ前側排出口５４Ａ、５４Ｂが設けられる。基板収容部４４の中央部において、左側の前側排出口５４Ａは、凸部５１Ａよりも左側に設けられる。右側の前側排出口５４Ｂは、凸部５１Ａよりも右側に設けられる。前側排出口５４Ａの後方には、開口部５５が設けられる。基板収容部４４の内側には、基板流路５０Ａ、５０Ｂが形成される。基板流路５０Ａには、左流入口５２から流入した冷却空気が流れ、前側排出口５４Ａから排出される。基板流路５０Ｂには、右流入口５３から流入した冷却空気が流れ、前側排出口５４Ｂから排出される。
【００３８】
基板収容部４４の周壁部５７のうち前方左側に、下方に突出する差し込み部４９Ａが設けられる。基板収容部４４の周壁部５７のうち前方左側に、下方に突出する差し込み部４９Ｂが設けられる。差し込み部４９Ａ、４９Ｂは、天板３の固定部３Ｂに対してセンサケース４０を位置決めするために設けられる。
【００３９】
図６に示すように、センサ収容部４５は、本体部４１の後側部分に対応し、底面視二つの円弧が左右方向に並ぶ細長い波状に形成される。センサ収容部４５は、ケース部６０Ａ及び蓋部６０Ｂを有する。ケース部６０Ａは、下方に向けて開口する箱状に形成される。蓋部６０Ｂは、ケース部６０Ａの開口を下側から覆う。
【００４０】
ケース部６０Ａの二つの円弧状の部位のうち左側には、左側から右側に向かって順に、センサ３１〜３４が固定される。ケース部６０Ａの二つの円弧状の部位のうち右側には、左側から右側に向かって順に、センサ３５〜３８が固定される。ケース部６０Ａの中央には、センサ３９が固定される。図５に示すように、センサ３１〜３９は、それぞれ、発光部４７と受光部４８を備える。センサ３１〜３９の夫々の発光部４７と受光部４８は、ケース部６０Ａの上面に形成される筒状の凹部４５１内に露出する。センサケース４０が天板３の固定部３Ｂに固定された状態で、センサ３１〜３９は、天板３の本体板３Ａのセンサ用窓部１５〜１７の直下に支持される。
【００４１】
図６に示すように、ケース部６０Ａの左端部には、基板収容部４４側に向けて延びる前方突出部６１１が設けられる。前方突出部６１１の底面には、上記の左流入口５２が配置される。左流入口５２は、左筒部４２の上方に配置され、基板収容部４４とセンサ収容部４５を互いに連通する。ケース部６０Ａの右端部には、基板収容部４４側に向けて延びる前方突出部６２１が設けられる。前方突出部６２１の底面には、上記の右流入口５３が配置される。右流入口５３は、右筒部４３の上方に配置され、基板収容部４４とセンサ収容部４５を互いに連通する。
【００４２】
センサ収容部４５の内部に、ケース部６０Ａ及び蓋部６０Ｂにより囲まれたセンサ流路６０Ｃが形成される。ケース部６０Ａの左右方向中央且つセンサ３９の左側に隣接する位置に設けられた仕切壁６３１は、センサ流路６０Ｃを左右に仕切る。左側のセンサ流路６０Ｃには、左流入口５２から流入した冷却空気が左端側から中央に向けて流れる。右側のセンサ流路６０Ｃには、右流入口５３から流入した冷却空気が右端側から中央に向けて流れる。
【００４３】
蓋部６０Ｂの左端部には、上下方向に延びる左筒部４２が設けられる。左筒部４２の上端開口部は、ケース部６０Ａの前方突出部６１１に配置され、センサ流路６０Ｃの左端部に連通する。左筒部４２の下端開口部４２１は、前方突出部６１１から下方に突出する。下端開口部４２１には、矩形枠状の弾性体４２２が固定される。左筒部４２の下端開口部４２１は、図３に示す左ダクト部７１の上端部の流出口７１１に弾性体４２２を介して連通する。図６に示すように、蓋部６０Ｂの右端部にも、上下方向に延びる右筒部４３が設けられる。右筒部４３の上端開口部は、ケース部６０Ａの前方突出部６２１に配置され、センサ流路６０Ｃの右端部に連通する。右筒部４３の下端開口部４３１は、前方突出部６２１から下方に突出する。下端開口部４３１には、矩形枠状の弾性体４３２が固定される。右筒部４３の下端開口部４３１は、図３に示す右ダクト部７２の上端部の流出口７２１に弾性体４３２を介して連通する。
【００４４】
図６に示すように、蓋部６０Ｂの左右方向中央には、下方に突出する略四角筒状の接続筒６８が設けられる。接続筒６８は、センサ流路６０Ｃの左右方向中央と連通する。接続筒６８の下方に突出する下端部には、底面視略矩形枠状の弾性体６９が貼着される。接続筒６８の内側には、仕切壁６８１が設けられる。仕切壁６８１は、接続筒６８の内側を左右に仕切る。仕切壁６８１の下端部は、ケース部６０Ａの仕切壁６３１の上端部に当接する。接続筒６８は、弾性体６９を介して、筐体２（図２参照）内の空気流路（非図示）の前端部に装着される。該空気流路は、天板３の本体板３Ａの排気口７からグリル庫の上方を通って前方に延び、接続筒６８に接続する。
【００４５】
図５に示すように、ケース部６０Ａの後端部に、後方に向けて突出する板状のケース固定部５８Ａ〜５８Ｅが設けられる。ケース固定部５８Ａ〜５８Ｅには、上下方向に貫通する円形の貫通孔が形成される。ケース固定部５８Ａ〜５８Ｅの貫通孔には、天板３の固定部３Ｂにセンサケース４０を固定する場合においてネジが挿通される。
【００４６】
＜電装ユニット１００＞
図７に示すように、電装ユニット１００は、電装基板１００Ａ、導光板１００Ｂ、１００Ｃ、近接センサ１００Ｄ、１００Ｅ、拡散板１００Ｆ、１００Ｇを有する。電装基板１００Ａは、左右方向に長い矩形板状を有し、上下方向と直交する。電装基板１００Ａの左右方向の長さは、基板収容部４４の左右方向の長さよりも短い。電装基板１００Ａの上面に、複数のＬＥＤ２１が実装される。導光板１００Ｂ、１００Ｃ、近接センサ１００Ｄ、１００Ｅ、拡散板１００Ｆ、１００Ｇは、それぞれ、電装基板１００Ａの上側に固定される。以下、複数のＬＥＤ２１、近接センサ１００Ｄ、１００Ｅを総称して「電装部２０」という。電装基板１００Ａの下面のうち一部に、電装基板１００Ａの制御を司るデバイスが実装される。電装基板１００Ａの下面のうち他部には、デバイスが実装されない未実装部１００Ｈ（図４、図９参照）が形成される。
【００４７】
導光板１００Ｂ、１００Ｃは、それぞれ、左右方向に長い矩形板状を有し、上下方向と直交する。導光板１００Ｂ、１００Ｃは、電装基板１００Ａの複数のＬＥＤ２１から発光された光を上方に導き、且つ、光の拡散を防止するために設けられる。導光板１００Ｂ、１００Ｃの左右方向の長さは、電装基板１００Ａの左右方向の長さの半分よりも短い。導光板１００Ｂは、電装基板１００Ａの上面のうち左右方向中央よりも左側に固定される。導光板１００Ｃは、電装基板１００Ａの上面のうち左右方向中央よりも右側に固定される。導光板１００Ｂ、１００Ｃは、それぞれ、上下方向に貫通する複数の導光孔２２を有する。電装基板１００Ａの上面に導光板１００Ｂ、１００Ｃが固定された状態で、複数の導光孔２２と電装基板１００Ａの複数のＬＥＤ２１とのそれぞれの位置は一致する。導光板１００Ｂ、１００Ｃは、電装基板１００Ａの複数のＬＥＤ２１から発光された光を、複数の導光孔２２により上方に導き、且つ、該光が水平方向に拡散されることを防止する。
【００４８】
近接センサ１００Ｄ、１００Ｅは、それぞれ、左右方向に長い矩形板状を有し、上下方向と直交する。近接センサ１００Ｄ、１００Ｅは、天板３の本体板３Ａの上面に対するユーザのタッチ操作を検出するために設けられた、静電容量型の周知の近接センサである。近接センサ１００Ｄ、１００Ｅの左右方向の長さは、導光板１００Ｂ、１００Ｃの左右方向の長さと略同一である。近接センサ１００Ｄは、導光板１００Ｂの上面に固定される。近接センサ１００Ｅは、導光板１００Ｃの上面に固定される。近接センサ１００Ｄ、１００Ｅには、それぞれ、フレキシブルプリント基板（Flexible Printed Circuits、ＦＰＣ）の一端側が接続される。フレキシブルプリント基板の他端側は、電装基板１００Ａに接続される。近接センサ１００Ｄ、１００Ｅによる検出結果を示す信号は、フレキシブルプリント基板を介して電装基板１００Ａに伝達される。
【００４９】
拡散板１００Ｆ、１００Ｇは、それぞれ、左右方向に長い矩形板状を有し、上下方向と直交する。拡散板１００Ｆ、１００Ｇは、電装基板１００Ａの複数のＬＥＤ２１から発光された光を拡散するために設けられる。拡散板１００Ｆ、１００Ｇの左右方向の長さは、導光板１００Ｂ、１００Ｃ、及び、近接センサ１００Ｄ、１００Ｅの左右方向の長さと略同一である。拡散板１００Ｆは、近接センサ１００Ｄの上面に固定される。拡散板１００Ｇは、近接センサ１００Ｅの上面に固定される。
【００５０】
拡散板１００Ｆが導光板１００Ｂ及び近接センサ１００Ｄを介して電装基板１００Ａに固定された場合、図４に示すように、拡散板１００Ｆの左前方の角部は、電装基板１００Ａの左前方の角部に対して外側に配置される。拡散板１００Ｇの右前方の角部も同様に、電装基板１００Ａの右前方の角部に対して外側に配置される。
【００５１】
＜コンロ１の製造方法＞
図４、図８、図９を参照し、コンロ１の製造工程において天板３に電装ユニット１００及びセンサケース４０を組み付ける方法について説明する。図４に示すように、初めに作業者は、図７に示す電装基板１００Ａ、導光板１００Ｂ、１００Ｃ、近接センサ１００Ｄ、１００Ｅ、及び、拡散板１００Ｆ、１００Ｇを積層して固定し、電装ユニット１００を作成する（Ｓ１１、図８参照）。
【００５２】
次に、作業者は、Ｓ１１の工程により作成された電装ユニット１００を、天板３に対して位置決めする（Ｓ１３、図８参照）。より詳細には、図４に示すように、電装ユニット１００のうち左前方において最も外側に配置された拡散板１００Ｆの角部が、前後左右方向において天板３の本体板３Ａの位置決め部１１Ａと一致し、且つ、電装ユニット１００のうち右前方において最も外側に配置された拡散板１００Ｇの角部が、前後左右方向において天板３の本体板３Ａの位置決め部１２Ａと一致するように、天板３の下方において電装ユニット１００が位置決めされる（Ｓ１３、図８参照）。
【００５３】
次に、作業者は、位置決め部１１Ａ、１２Ａを基準として位置決めされた電装ユニット１００を、天板３の本体板３Ａの下面のうち固定部３Ｂの開口部８８により露出された部分に貼付して固定する（Ｓ１５、図８参照）。このとき、図９に示すように、電装ユニット１００の電装基板１００Ａに設けられた電装部２０（図７参照）は、天板３の本体板３Ａのうち対応する入出力部１４（図４参照）の下側に配置される。従って、例えば、電装ユニット１００の複数のＬＥＤ２１から発光された光は、入出力部１４の表示部を介して透過され、天板３の上方に出射可能となる。又、電装ユニット１００の近接センサ１００Ｄ、１００Ｅは、入出力部１４の受付部に対してユーザが行うタッチ操作を検出することが可能となる。
【００５４】
次に、作業者は、センサケース４０の凸部５１Ａ〜５１Ｅ（図５参照）に、弾性部材５１Ｓ〜５１Ｗ（図４参照）を貼付することにより、支持部５１を形成する（Ｓ１７、図８参照）。作業者は、天板３の下方にセンサケース４０を配置し、センサケース４０を上方に移動させることによって天板３に近づける。天板３の固定部３Ｂのガイド板部８６Ａがセンサケース４０の差し込み部４９Ａに差し込まれ、且つ、天板３の固定部３Ｂのガイド板部８６Ｂがセンサケース４０の差し込み部４９Ｂに差し込まれる。この状態でセンサケース４０が更に天板３側にスライド移動することによって、天板３に対してセンサケース４０が位置決めされる。天板３の本体板３Ａの下面に、センサケース４０の上端部が接触した状態で、固定部３Ｂの板固定部８７Ａ〜８７Ｅと、センサケース４０のケース固定部５８Ａ〜５８Ｅが位置決めされ、それぞれの貫通孔は上下方向に並ぶ。作業者は、板固定部８７Ａ〜８７Ｅ及びケース固定部５８Ａ〜５８Ｅのそれぞれの貫通孔にネジを螺合することにより、センサケース４０を固定部３Ｂに固定する（Ｓ１９、図８参照）。以上により、天板３に対する電装ユニット１００及びセンサケース４０の組み付けは完了する。
【００５５】
電装ユニット１００及びセンサケース４０に天板３が組み付けられた状態で、センサケース４０の基板収容部４４の覆部５６及び周壁部５７と、天板３の本体板３Ａとの間に空間が形成される。電装ユニット１００は、該空間内に内包された状態で、本体板３Ａに貼付され固定される。センサケース４０の覆部５６は、電装ユニット１００を下方から覆う。支持部５１の弾性部材５１Ｓ〜５１Ｗは、電装ユニット１００の電装基板１００Ａの下面の未実装部１００Ｈに下方から接触する。これにより、支持部５１は、電装ユニット１００の電装基板１００Ａを下方から支持する。
【００５６】
又、センサケース４０のセンサ３１〜３９は、天板３の本体板３Ａのセンサ用窓部１５〜１７の下側に配置される。センサ３１〜３９の発光部４７から発光した赤外光は、センサ用窓部１５〜１７を介して上方に出射可能となる。又、センサ３１〜３９の受光部４８は、発光部４７が発光した赤外光を、センサ用窓部１５〜１７を介して受光可能となる。例えば、発光部４７が発光した赤外光が異物に反射して受光部４８により受光された場合、センサ３１〜３９は、受光部４８が受光した反射光の強度に基づき、所定高さ範囲内に異物があるか否かを検出できる。
【００５７】
＜電装ユニット１００及びセンサ３１〜３９の冷却方法＞
コンロ１の非図示の制御部は、左ダクト部７１及び右ダクト部７２内の冷却ファンを共に駆動する。冷却ファンの駆動に応じ、左フロントパネル８０及び右フロントパネル９０のそれぞれの空気入口から空気が吸い込まれる。吸い込まれた空気は、センサケース４０に向けて供給される冷却空気として、左ダクト部７１及び右ダクト部７２のそれぞれの内部を上方に流れる。左ダクト部７１内を流れた冷却空気は、センサケース４０の左筒部４２の下端開口部４２１から内側に流入する。右ダクト部７２内を流れた冷却空気は、センサケース４０の右筒部４３の下端開口部４３１から内側に流入する。
【００５８】
左筒部４２内に流入した冷却空気は、前方突出部６１１に設けられた左流入口５２によって、本体部４１の下面側と上面側に所定の比率で分流される。一方、右筒部４３内に流入した冷却空気も、前方突出部６２１に設けられた右流入口５３によって、本体部４１の下面側と上面側に所定の比率で分流される。左筒部４２内から本体部４１の下面側に流れた冷却空気は、センサ収容部４５に左端側から流入する。冷却空気は、センサ収容部４５のセンサ流路６０Ｃを左端側から中央側に向けて流れる。右筒部４３内から本体部４１の下面側に流れた冷却空気は、センサ収容部４５に右端側から流入する。冷却空気は、センサ収容部４５のセンサ流路６０Ｃを右端側から中央側に向けて流れる。これらにより、センサ３１〜３９が冷却空気によって冷却される。センサ流路６０Ｃを中央側に流れた冷却空気は、中央蓋部６５３に設けられた接続筒６８を介して外部に流出する。接続筒６８を介して外部に流出した冷却空気は、グリル庫上方の空気流路を通って排気口７より外部に排出される。
【００５９】
左筒部４２内から本体部４１の上面側に流れた冷却空気は、基板収容部４４に左端側から流入する。冷却空気は、基板収容部４４の基板流路５０Ａを左端側から中央側に向けて流れる。右筒部４３内から本体部４１の上面側に流れた冷却空気は、基板収容部４４に右端側から流入する。冷却空気は、基板収容部４４の基板流路５０Ｂを右端側から中央側に向けて流れる。これらにより、電装ユニット１００が冷却空気によって冷却される。基板流路５０Ａ、５０Ｂを中央側に流れた冷却空気は、前側排出口５４Ｂから外部に排出される。
【００６０】
＜本実施形態の作用、効果＞
例えば、電装ユニット１００がセンサケース４０に直接固定された場合、センサケース４０の誤差等によって、本体板３Ａの入出力部１４と電装部２０とのそれぞれの位置がずれる可能性がある。これに対し、コンロ１では、電装ユニット１００は本体板３Ａに直接貼付され、固定される。このため、コンロ１は、本体板３Ａに設けられた入出力部１４に対する電装部２０の位置ずれを抑制できる。又、本体板３Ａに対して電装ユニット１００が剥がれた場合でも、センサケース４０の支持部５１が電装ユニット１００を下側から支持できる。このため、コンロ１は、電装ユニット１００が本体板３Ａから剥離することを抑制できると同時に、仮に剥離した場合でも、電装ユニット１００の落下を防止できる。更に、支持部５１は、弾性部材５１Ｓ〜５１Ｗの弾性により、本体板３Ａとの間に電装ユニット１００を安定的に挟持できる。
【００６１】
センサケース４０は、電装ユニット１００を下側から覆う覆部５６を備える。覆部５６から上側に突出する支持部５１は、電装基板１００Ａの下面のうち未実装部１００Ｈに接触して下方から支持する。この場合、コンロ１は、センサケース４０内で電装ユニット１００が覆部５６に向けて落下することを支持部５１により適切に防止しつつ、電装基板１００Ａの部品に支持部５１が干渉することを抑制できる。
【００６２】
電装部２０は複数のＬＥＤ２１を有する。複数のＬＥＤ２１に対応する入出力部１４は、複数のＬＥＤ２１から発光された光を透過する表示部を含む。この場合、表示部に対する複数のＬＥＤ２１の位置ずれを防止することにより、複数のＬＥＤ２１の光を、表示部を介して外部に適切に出射させることができる。又、電装部２０は近接センサ１００Ｄ、１００Ｅを有する。近接センサ１００Ｄ、１００Ｅに対応する入出力部１４は、本体板３Ａのうち近接センサ１００Ｄ、１００Ｅによる検出が可能な位置を示す受付部を含む。この場合、受付部に対する近接センサ１００Ｄ、１００Ｅの位置ずれを防止することにより、ユーザが受付部にタッチする操作を、近接センサ１００Ｄ、１００Ｅにより確実に検出できる。
【００６３】
本体板３Ａは、電装ユニット１００が貼付して固定される位置を示す位置決め部１１Ａ、１２Ａを有する。電装ユニット１００は、位置決め部１１Ａ、１２Ａを基準として位置決めされ、本体板３Ａに貼付されて固定される。この場合、本体板３Ａの入出力部１４の下側に、対応する電装部２０が配置されるように、本体板３Ａに電装ユニット１００を正確かつ容易に位置決めして貼付し固定できる。 
【００６４】
＜変形例＞
本発明は上記実施形態に限定されず、種々の変更が可能である。天板３の本体板３Ａに対する電装ユニット１００の貼付方法は、接着剤、両面テープ等、周知の様々な方法を適用できることは言うまでもない。電装ユニット１００は、電装基板１００Ａ、及び、電装基板１００Ａに実装された複数のＬＥＤ２１のみ有し、導光板１００Ｂ、１００Ｃ、近接センサ１００Ｄ、１００Ｅ、拡散板１００Ｆ、１００Ｇを有さなくてもよい。近接センサ１００Ｄ、１００Ｅは、電装基板１００Ａの上面に直接実装されてもよい。
【００６５】
センサケース４０の支持部５１は、凸部５１Ａ〜５１Ｅのみ有し、弾性部材５１Ｓ〜５１Ｗを有さなくてもよい。凸部５１Ａ〜５１Ｅは、電装ユニット１００に下方から直接接触して支持してもよい。又は、支持部５１は、別部材（パッキン等）を介して電装ユニット１００を間接的に支持してもよい。支持部５１は、電装基板１００Ａの下面に実装された部品に接触しつつ、電装ユニット１００を下方から支持してもよい。更に、センサケース４０は支持部５１を有さなくてもよい。この場合、電装ユニット１００とセンサケース４０の覆部５６との間に隙間が形成されていてもよい。
【００６６】
電装部２０は、複数のＬＥＤ２１及び近接センサ１００Ｄ、１００Ｅ以外のデバイスを有していてもよい。例えば電装部２０は、センサ３１〜３９と同様の機能を有するセンサを有していてもよい。この場合、センサから出力される赤外光を、天板３の本体板３Ａの上方に適切に出射させることができると同時に、反射光をセンサにより適切に検出できる。
【００６７】
上記では、本体板３Ａの位置決め部１１Ａ、１２Ａに対して、電装ユニット１００の拡散板１００Ｆ、１００Ｇのそれぞれの角部を併せることによって、本体板３Ａに対する電装ユニット１００の位置決めがされた。これに対し、拡散板１００Ｆ、１００Ｇよりも電装基板１００Ａの方が外側にはみ出ている場合には、電装基板１００Ａの角部を位置決め部１１Ａ、１２Ａに合わせることによって位置決めがされてもよい。
【００６８】
上記実施形態のコンロ１は、ビルトインコンロであるが、テーブルコンロであってもよい。また、コンロバーナの数は、上記実施形態では二つであるが、一つ、又は三つ以上であってもよい。
【００６９】
＜その他＞
コンロ１は、本発明の「加熱調理器」の一例である。センサケース４０は、本発明の「ケース」の一例である。複数のＬＥＤ２１は、本発明の「発光部」の一例である。左操作部１１、右操作部１２、及びグリル用発光表示部１３の表示部は、本発明の「透過部」の一例である。左操作部１１、右操作部１２、及びグリル用発光表示部１３の受付部は、本発明の「接触部」の一例である。
【符号の説明】
【００７０】
１        ：コンロ
２        ：筐体
３        ：天板
３Ａ      ：本体板
３Ｂ      ：固定部
１１Ａ、１２Ａ    ：位置決め部
１４      ：入出力部
２０      ：電装部
２１      ：ＬＥＤ
４０      ：センサケース
５１      ：支持部
５１Ｓ、５１Ｔ、５１Ｕ、５１Ｖ、５１Ｗ    ：弾性部材
９０      ：右フロントパネル
１００    ：電装ユニット
１００Ａ  ：電装基板
１００Ｄ、１００Ｅ  ：近接センサ
【図１】
2020193773.tif 000003
【図２】
2020193773.tif 000004
【図３】
2020193773.tif 000005
【図４】
2020193773.tif 000006
【図５】
2020193773.tif 000007
【図６】
2020193773.tif 000008
【図７】
2020193773.tif 000009
【図８】
2020193773.tif 000010
【図９】
2020193773.tif 000011